(57)【要約】本発明は、第１メッセージングサービスの第１ユーザクライアントが伝送したマルチメディアメッセージを第１メッセージングサービスサーバで受信し、前記第１メッセージングサービスサーバと第２メッセージングサービスサーバで前記マルチメディアメッセージを処理し、前記第２メッセージングサービスサーバで第２メッセージサービスの第２ユーザクライアントに前記処理されたマルチメディアメッセージを提供する方法を採択する移動通信端末のメッセージ相互連動システムを提供する。前記メッセージは、そのヘッダ部分や本文部分にフィールドやインジケータとして発信メッセージサービスの種類や受信メッセージサービスの種類を示すパラメータを含む。
2007533245.tif 000002
【特許請求の範囲】
【請求項１】
端末が発信メッセージングサーバに受信者選好メッセージングサービスの種類を含むメッセージを伝送する段階と、
受信者発信サービスメッセージングサーバが前記メッセージを受信する段階と、
前記受信者選好メッセージングサービスの種類に関する情報を得るために他のネットワークエンティティを確認することなく、前記受信者選好メッセージングサービスの種類を含む前記受信されたメッセージを考慮してトランスコーディングされたメッセージを受信者選好サービスメッセージングサーバに伝送する段階と、を含むことを特徴とする互いに異なるメッセージングシステム間の連動方法。
【請求項２】
前記受信者選好メッセージングサービスの種類を含む前記メッセージを伝送する段階は、アドレス解決を行う段階と、ユーザプロファイルを確認する段階と、伝送する前に前記メッセージを保存する段階と、をさらに含むことを特徴とする請求項１に記載の互いに異なるメッセージングシステム間の連動方法。
【請求項３】
前記トランスコーディングされたメッセージを伝送する段階は、第１フォーマットを有する前記受信されたメッセージを第２フォーマットに変換して互いに異なるメッセージングサービスの種類が互換されるようにする段階をさらに含むことを特徴とする請求項１に記載の互いに異なるメッセージングシステム間の連動方法。
【請求項４】
前記発信メッセージングサーバは、受信者選好メッセージングサービスの種類を含む前記メッセージを伝送する前にプレゼンスサーバから受信端末機に関する状態情報及び可能なサービスアプリケーションを受信することを特徴とする請求項１に記載の互いに異なるメッセージングシステム間の連動方法。
【請求項５】
前記受信者選好メッセージングサービスの種類は、前記メッセージのヘッダ部分や本文部分にフィールドやインジケータとして表示されることを特徴とする請求項１に記載の互いに異なるメッセージングシステム間の連動方法。
【請求項６】
前記メッセージは、発信メッセージングサービスの種類をさらに含むことを特徴とする請求項１に記載の互いに異なるメッセージングシステム間の連動方法。
【請求項７】
前記発信メッセージングサービスの種類は、前記メッセージのヘッダ部分や本文部分にフィールドやインジケータとして表示されることを特徴とする請求項６に記載の互いに異なるメッセージングシステム間の連動方法。
【請求項８】
メッセージングサービスに関するメッセージを受信する段階と、
受信者の選好メッセージングサービスの種類を取得する段階と、
前記取得された選好メッセージングサービスの種類に関する少なくとも１つのパラメータを前記受信されたメッセージに添付する段階と、
前記パラメータが添付された前記受信されたメッセージを受信者発信サービスメッセージングサーバに伝送する段階と、を含むことを特徴とする互いに異なるメッセージングシステム間の連動方法。
【請求項９】
前記受信されたメッセージを伝送する送信先メッセージングシステムを探す段階をさらに含むことを特徴とする請求項８に記載の互いに異なるメッセージングシステム間の連動方法。
【請求項１０】
前記選好メッセージングサービスの種類は、プレゼンスサーバやユーザプロファイルから取得されることを特徴とする請求項８に記載の互いに異なるメッセージングシステム間の連動方法。
【請求項１１】
前記少なくとも１つのパラメータは、前記選好メッセージングサービスのメッセージを伝送又は受信するためのものであることを特徴とする請求項８に記載の互いに異なるメッセージングシステム間の連動方法。
【請求項１２】
前記少なくとも１つのパラメータは、前記選好メッセージングサービスのメッセージを伝送するためのパラメータと前記選好メッセージングサービスのメッセージを受信するためのパラメータを含むことを特徴とする請求項８に記載の互いに異なるメッセージングシステム間の連動方法。
【請求項１３】
前記受信者選好メッセージングサービスの種類は、前記メッセージのヘッダ部分や本文部分にフィールドやインジケータとして表示されることを特徴とする請求項８に記載の互いに異なるメッセージングシステム間の連動方法。
【請求項１４】
前記メッセージは、発信メッセージングサービスの種類を示すパラメータをさらに含むことを特徴とする請求項８に記載の互いに異なるメッセージングシステム間の連動方法。
【請求項１５】
前記発信メッセージングサービスの種類は、前記メッセージのヘッダ部分や本文部分にフィールドやインジケータとして表示されることを特徴とする請求項１４に記載の互いに異なるメッセージングシステム間の連動方法。
【請求項１６】
選好メッセージングサービスの種類を示すパラメータを含むメッセージを受信する段階と、
前記メッセージを前記パラメータに従って前記選好メッセージングサービスのサポートするフォーマットに処理する段階と、
前記メッセージを前記選好メッセージングサービスの受信者に提供する段階と、を含むことを特徴とする互いに異なるメッセージングシステム間の連動方法。
【請求項１７】
前記メッセージは、前記選好メッセージングサービスのフォーマットと異なるフォーマットに受信者発信サービスメッセージングサーバに受信されることを特徴とする請求項１６に記載の互いに異なるメッセージングシステム間の連動方法。
【請求項１８】
前記処理段階は、アドレス解決段階を含むことを特徴とする請求項１６に記載の互いに異なるメッセージングシステム間の連動方法。
【請求項１９】
前記メッセージは、ユーザプロファイルを確認し、コンテンツ及びヘッダトランスコーディングを行って前記メッセージを保存するメッセージングリレーにより処理されることを特徴とする請求項１８に記載の互いに異なるメッセージングシステム間の連動方法。
【請求項２０】
前記メッセージは、受信者選好サービスメッセージングサーバを介して前記受信者に提供されることを特徴とする請求項１６に記載の互いに異なるメッセージングシステム間の連動方法。
【請求項２１】
前記パラメータは、前記メッセージのヘッダ部分や本文部分にフィールドやインジケータとして表示されることを特徴とする請求項１６に記載の互いに異なるメッセージングシステム間の連動方法。
【請求項２２】
前記パラメータは、発信メッセージングサービスの種類を示すことを特徴とする請求項１６に記載の互いに異なるメッセージングシステム間の連動方法。
【請求項２３】
前記発信メッセージサービスの種類は、前記メッセージのヘッダ部分や本文部分にフィールドやインジケータとして表示されることを特徴とする請求項２２に記載の互いに異なるメッセージングシステム間の連動方法。
【請求項２４】
発信クライアントから発信メッセージングサーバにメッセージを伝送する段階と、
前記メッセージをメッセージ保存部に保存する段階と、
前記メッセージに関するインジケータにより、あるいは、プレゼンスサーバやユーザプロファイルにより少なくとも選好メッセージングサービスの種類を含むユーザ情報を取得する段階と、
アドレス解決により次のサーバを探す段階と、
前記次のサーバに前記メッセージを伝送する段階と、
発信メッセージフォーマットを受信メッセージフォーマットにトランスコーディングする段階と、
アドレス解決により受信者選好サービスメッセージングサーバを探す段階と、
前記トランスコーディングされたメッセージを前記受信者選好サービスメッセージングサーバに伝送する段階と、
前記トランスコーディングされたメッセージを保存して前記受信クライアントに通知を伝送する段階と、
前記受信者選好サービスメッセージングサーバに前記トランスコーディングメッセージの受信を要求する段階と、
前記トランスコーディングされたメッセージを受信する段階と、を含むことを特徴とするメッセージングサービス方法。
【請求項２５】
第１メッセージングサービスサーバが第１メッセージングサービスの第１ユーザクライアントが伝送したマルチメディアメッセージを受信する段階と、
前記第１メッセージングサービスサーバと第２メッセージングサービスサーバで前記マルチメディアメッセージを処理する段階と、
前記第２メッセージングサービスサーバが第２メッセージングサービスの第２ユーザクライアントに前記処理されたマルチメディアメッセージを提供する段階と、を含むことを特徴とするメッセージングサービス方法。
【請求項２６】
前記処理は、前記マルチメディアメッセージのコンテンツやフォーマットを前記第１と第２メッセージングサービスの間で互換されるように修正することを特徴とする請求項２５に記載のメッセージングサービス方法。
【請求項２７】
前記第１メッセージングサービスはインスタントメッセージサービスであり、前記第２メッセージングサービスはマルチメディアメッセージサービスであることを特徴とする請求項２６に記載のメッセージングサービス方法。
【請求項２８】
前記処理は、前記第２ユーザクライアントに対してメッセージングアドレスが利用可能なものであるかを確認することを特徴とする請求項２５に記載のメッセージングサービス方法。
【請求項２９】
前記第１メッセージングサービスはマルチメディアメッセージサービスであり、前記第２メッセージングサービスはインスタントメッセージサービスであることを特徴とする請求項２８に記載のメッセージングサービス方法。
【請求項３０】
前記第１ユーザクライアントは、可能なサービスアプリケーション及びプレゼンス情報をユーザに通知する機能を有することを特徴とする請求項２６に記載のメッセージングサービス方法。
【請求項３１】
前記可能なサービスアプリケーション及びプレゼンス情報は、互いに異なる色及びテキスト文字を使用してユーザに対して視覚的に表示されることを特徴とする請求項２０に記載のメッセージングサービス方法。
【請求項３２】
前記処理段階は、受信メッセージングサービスの種類を示す第１パラメータを含むことを特徴とする請求項２５に記載のメッセージングサービス方法。
【請求項３３】
前記受信メッセージングサービスの種類は、前記マルチメディアメッセージのヘッダ部分や本文部分にフィールドやインジケータとして表示されることを特徴とする請求項３２に記載のメッセージングサービス方法。
【請求項３４】
前記処理段階は、発信メッセージングサービスの種類を示す第２パラメータを含むことを特徴とする請求項３２に記載のメッセージングサービス方法。
【請求項３５】
前記発信メッセージングサービスの種類は、前記マルチメディアメッセージのヘッダ部分や本文部分にフィールドやインジケータとして表示されることを特徴とする請求項３４に記載のメッセージングサービス方法。
【請求項３６】
受信端末機に伝達される送信端末機から伝送されたメッセージを受信する段階と、
メッセージングサービスの種類を示す少なくとも１つのインジケータが前記メッセージに含まれているかを確認する段階と、
前記インジケータによって前記メッセージを前記受信端末機のサポートするフォーマットに変換する段階と、
前記受信端末機に前記変換されたメッセージを伝送する段階と、を含むことを特徴とするメッセージングサービス方法。
【請求項３７】
第１インジケータは、前記受信端末機のメッセージングサービスの種類を示すことを特徴とする請求項３６に記載のメッセージングサービス方法。
【請求項３８】
前記受信端末機のメッセージングサービスの種類に関する情報がプレゼンスサーバから取得されることを特徴とする請求項３７に記載のメッセージングサービス方法。
【請求項３９】
第１インジケータは、前記メッセージのヘッダ部分や本文部分のフィールドやフラグであることを特徴とする請求項３７に記載のメッセージングサービス方法。
【請求項４０】
第２インジケータは、前記送信端末機のメッセージングサービスの種類を示すことを特徴とする請求項３７に記載のメッセージングサービス方法。
【請求項４１】
第２インジケータは、前記メッセージのヘッダ部分や本文部分のフィールドやフラグであることを特徴とする請求項４０に記載のメッセージングサービス方法。
【請求項４２】
前記少なくとも１つのインジケータは、前記送信端末機の送信クライアントにより前記メッセージに含まれることを特徴とする請求項３６に記載のメッセージングサービス方法。
【請求項４３】
前記少なくとも１つのインジケータは、ネットワークの送信側の一部分にあるサーバにより前記メッセージに含まれることを特徴とする請求項３６に記載のメッセージングサービス方法。
【請求項４４】
前記少なくとも１つのインジケータは、ネットワークの受信側の一部分にあるサーバにより前記メッセージに含まれることを特徴とする請求項３６に記載のメッセージングサービス方法。
【発明の詳細な説明】
【技術分野】
【０００１】
本発明は、移動通信端末のメッセージングサービスに関し、より詳しくは、インスタントメッセージング（ｉｎｓｔａｎｔ  ｍｅｓｓａｇｉｎｇ：ＩＭ）クライアントを使用してマルチメディアコンテンツを受信する移動通信端末のメッセージ相互連動システム及びその方法に関する。
【背景技術】
【０００２】
最近、移動通信端末機のユーザのうち相当数が移動通信端末機を利用して文字メッセージを交換しており、テキストベースのメッセージサービス市場の規模が音声通信とは別に拡大し続けている。
【０００３】
前記移動通信端末機のメッセージサービスは大きくインスタントメッセージ（ＩＭ）サービス、マルチメディアメッセージサービス（Ｍｕｌｔｉｍｅｄｉａ  Ｍｅｓｓａｇｅ  Ｓｅｒｖｉｃｅ：ＭＭＳ）、ショートメッセージサービス（Ｓｈｏｒｔ  Ｍｅｓｓａｇｅ  Ｓｅｒｖｉｃｅ：ＳＭＳ）に分けることができるが、最近、インスタントメッセージクライアントが移動通信端末機に搭載されるようになり、有線インターネット技術をベースとしたインスタントメッセージサービスは移動通信分野にも拡大されてきている。
【０００４】
インスタントメッセージサービスは、端末機ユーザにテキストベースのメッセージのような高速対話型通信手段を提供する。ここで、前記インスタントメッセージクライアントは、ユーザと接続された対話相手、クライアントのオンライン状態、応答可能性のような多様な動作情報をユーザに通知し得るプレゼンスサービスを含む。
【０００５】
前記マルチメディアメッセージサービスは、ユーザの所望する動画像、合成画像、ＢＧＭなどを文字メッセージと共に伝送するメッセージサービスであって、メッセージを受信する相手の現在状態を考慮しないまま伝送する。
【発明の開示】
【発明が解決しようとする課題】
【０００６】
従来の移動通信端末機のメッセージサービスシステムは同一のメッセージクライアントを搭載した移動通信端末機間ではメッセージサービスを実現することができ、異なるメッセージクライアントを搭載した移動通信端末機間ではメッセージサービスを実現することができないという問題点があった。
【０００７】
従って、本発明は、インスタントメッセージクライアントを使用して伝送されたマルチメディアコンテンツが受信端（受信端末機）のマルチメディアメッセージクライアントにより受信されるようにする互いに異なるメッセージサービスをサポートする各移動通信端末機間の相互連動のためのシステム及びその方法を提供することを目的とする。
【０００８】
移動及び無線通信技術が発達し続けるように、本発明は、異なる互換性を有して多様な種類のメッセージングサービスをサポートする各ユーザ端末機（移動ハンドセット、無線接続装置など）間の互換性を提供し、１種類のメッセージングサービスを使用するユーザが異なる種類のメッセージングサービスを使用するユーザにメッセージを送信し得るようにする。
【課題を解決するための手段】
【０００９】
本発明は、第１メッセージクライアントの搭載された送信端末機が第２メッセージクライアントの搭載された前記受信端末機にマルチメディアコンテンツを伝送する移動通信端末機のメッセージ相互連動システムを提供し、該システムは、前記マルチメディアコンテンツを前記受信端末機に伝送し得るかを確認する第１サーバと、該第１サーバから伝送された前記マルチメディアコンテンツのフォーマットを前記受信端末機のサポートするコンテンツフォーマットに変換する第２サーバと、前記各端末に関する情報を収集して前記第１サーバ、第２サーバ、及び各端末機により要求される情報を提供する。
【００１０】
また、本発明による移動通信端末機のメッセージ相互連動システムは、第１メッセージクライアントを使用してマルチメディアコンテンツを伝送する送信端末機と、第２メッセージクライアントを使用して前記マルチメディアコンテンツを受信する受信端末機と、前記マルチメディアコンテンツの受信アドレスを確認して前記受信端末機に搭載されたメッセージクライアントを確認する第１サーバと、該第１サーバから伝送された前記マルチメディアコンテンツのフォーマットを前記受信端末機のサポートするフォーマットに変換して前記受信端末機からの要求があれば前記マルチメディアコンテンツを伝送する第２サーバと、前記各端末機に関する情報を収集して前記第１サーバ、第２サーバ、及び各端末機により要求された情報を提供するモバイルコアネットワークと、から構成される。
【００１１】
本発明による移動通信端末機のメッセージ相互連動方法は、受信端末機に搭載されたメッセージクライアントによりサポートされるサービスに応じてマルチメディアコンテンツを伝送するための経路を決定する段階と、前記マルチメディアコンテンツを前記受信端末機のサポートするフォーマットに変換して前記受信端末機に伝送する段階と、を含む。
【００１２】
また、本発明による移動通信端末機のメッセージ相互連動方法は、送信端末機に搭載された第１メッセージクライアントがアクティブ化されると、マルチメディアコンテンツを第１サーバに伝送する段階と、受信端末機のアドレスと前記受信端末機に搭載された第２メッセージクライアントを確認する段階と、前記受信端末機のマルチメディアコンテンツ受信を第２サーバに通知する段階と、前記受信端末機から受信要求が伝送されると、前記マルチメディアコンテンツのフォーマットを前記受信端末機のサポートするコンテンツフォーマットに変換する段階と、前記マルチメディアコンテンツを前記受信端末機に伝送する段階と、を含む。
【発明の効果】
【００１３】
本発明による移動通信端末機メッセージ連動システム及びその方法は、インスタントメッセージクライアント及びマルチメディアメッセージサービスクライアントのような互いに異なるメッセージングシステム間の互換を可能にし、インスタントメッセージクライアントを搭載した送信端末機から伝送されたマルチメディアコンテンツをマルチメディアメッセージサービスクライアントを搭載した受信端末機で受信し得る。
【００１４】
また、本発明による移動通信端末機メッセージ連動システム及びその方法は、送信者が送信者の送信端末機に搭載された前記インスタントメッセージクライアントを使用し得るようにして所定の受信者がマルチメディアメッセージサービスを受信し得るかを確認し得る。さらに、発信メッセージングサービスフィールド及び／又は受信メッセージングサービスフィールドをメッセージに追加することにより、前記メッセージサービスの種類を検証するために必要な手順を最小化することができ、ネットワークエンティティ間の信号トラフィックを減少し得る。さらに、前記受信クライアントが他のメッセージングサービスと連動するために前記発信クライアントで使用するメッセージングサービスの種類を認識し得る。
【発明を実施するための最良の形態】
【００１５】
以下、本発明による移動通信端末機のメッセージ相互連動システム及びその方法の実施形態について図面を参照して説明する。
【００１６】
ここで、重要な点は、図１〜図４に示す全てのエンティティが本発明の達成のために必ずしも必要なものではない（例えば、以下に説明するＷＡＰゲートウェイ）という点である。その理由は、多くの異なる種類のネットワークエンティティが所望の動作を行うこともでき、互いに異なる各動作と処理を単一エンティティ内で組み合わせて実行することもできるからである。ここで説明される特定のネットワークエンティティは例示的なものにすぎず、多様な種類の同等なハードウェア、ソフトウェア、及び／又はハードウェアとソフトウェアとの組み合わせにより達成される本発明の特性を説明するために利用されるということは当業者には明らかであろう。
【００１７】
図１は、本発明による移動通信端末機のメッセージ相互連動システムの構造を示す図であり、前記システムは、インスタントメッセージサービス端末機とマルチメディアメッセージサービス端末機間の相互連動のためのものである。
【００１８】
図１に示すように、前記システムは、ユーザが作成したマルチメディアコンテンツを保存及び伝送する送信端末機１０と、該送信端末機１０から伝送された前記マルチメディアコンテンツが前記受信端末機５０に伝送され得るかを確認するインスタントメッセージサーバ２０と、該インスタントメッセージサーバ２０から伝送された前記マルチメディアコンテンツのフォーマットとコーデックを確認して前記受信端末機５０のサポートするコンテンツフォーマットに変換するマルチメディアメッセージサービス（ＭＭＳ）センタ３０と、前記マルチメディアコンテンツが前記マルチメディアメッセージサービスセンタ３０に入力されると、前記受信端末機５０に通知するＷＡＰゲートウェイ４０と、該ＷＡＰゲートウェイ４０を介して前記マルチメディアメッセージサービスセンタ３０に前記通知されたマルチメディアコンテンツを要求し、前記ＷＡＰゲートウェイ４０を介して前記要求されたマルチメディアコンテンツを受信する受信端末機５０と、認証及び認可手順を行って前記送信端末機１０と前記受信端末機５０からの情報を周期的に又は非周期的に更新するモバイルコアネットワーク６０と、から構成される。ここで、前記インスタントメッセージサーバ２０はインスタントメッセージを処理するための第１サーバであり、前記マルチメディアメッセージサービスセンタ３０はマルチメディアメッセージを処理するための第２サーバである。
【００１９】
前記送信端末機１０はインスタントメッセージクライアントを搭載した移動通信端末機であり、前記受信端末機５０は（インスタントメッセージクライアントではない）マルチメディアメッセージサービスクライアントを搭載した移動通信端末機である。
【００２０】
前記インスタントメッセージサーバ２０は送信端末機１０の要求時にマルチメディアコンテンツの伝送を許可し、前記モバイルコアネットワーク６０に保存された情報を確認して前記マルチメディアコンテンツが伝送される前記受信端末機５０がインスタントメッセージクライアントを搭載しているかマルチメディアメッセージサービスクライアントを搭載しているかを判断する。
【００２１】
図２は、本発明によるインスタントメッセージサーバの構造を示すブロック図であり、前記インスタントメッセージサーバは、前記送信端末機１０から伝送したマルチメディアコンテンツなどを受信し、それを他のサーバに伝送する送受信モジュール２１と、前記マルチメディアコンテンツを伝送する送信先のアドレス解決（ａｄｄｒｅｓｓｉｎｇ  ｒｅｓｏｌｕｔｉｏｎ）を行って前記受信端末機５０にマルチメディアメッセージサービスクライアントが搭載されているかを前記モバイルコアネットワーク６０から確認する受信端末確認モジュール２３と、前記送信端末機１０から伝送された前記マルチメディアコンテンツを一時的に保存する保存モジュール２５と、から構成される。
【００２２】
前記マルチメディアメッセージサービスセンタ３０は、前記インスタントメッセージサーバ２０から受信された前記マルチメディアコンテンツのフォーマット／コーデックが前記受信端末機５０にサポートされるかを判断する。前記マルチメディアコンテンツのフォーマット／コーデックをサポートする場合、前記マルチメディアコンテンツを変換せずに直ちに前記受信端末機５０に伝送するが、前記マルチメディアコンテンツのフォーマット／コーデックをサポートしない場合、前記マルチメディアコンテンツを前記受信端末機５０に適したフォーマット／コーデックに変換した後に伝送する。
【００２３】
図３は、本発明によるマルチメディアメッセージサービスセンタの構造を示すブロック図であり、前記インスタントメッセージサーバ２０からマルチメディアコンテンツを受信して前記受信端末機５０に応じて変換されたマルチメディアコンテンツを他のサーバや受信端末機５０に伝送する送受信モジュール３１と、前記受信端末機５０にマルチメディアコンテンツが受信されたことを通知する通知モジュール３３と、前記受信されたマルチメディアコンテンツを一時的に保存する保存モジュール３５と、前記受信されたマルチメディアコンテンツのフォーマット／コーデックを確認して前記受信端末機５０の性能（ｃａｐａｂｉｌｉｔｉｅｓ）によって前記マルチメディアコンテンツを変換する変換モジュール３７と、から構成される。
【００２４】
前記モバイルコアネットワーク６０は３ＧＰＰ  ＴＳ２３．２４０のＧＵＰ（Ｇｅｎｅｒｉｃ  Ｕｓｅｒ  Ｐｒｏｆｉｌｅ）サーバであり、前記インスタントメッセージサーバ２０及びマルチメディアメッセージサービスセンタ３０と情報を交換するためのプロトコルであるＳＭＴＰ（Ｓｉｍｐｌｅ  Ｍａｉｌ  Ｔｒａｎｓｆｅｒ  Ｐｒｏｔｏｃｏｌ）を使用する。ここで、前記モバイルコアネットワーク６０は、ＯＭＡ（Ｏｐｅｎ  Ｍｏｂｉｌｅ  Ａｌｌｉａｎｃｅ）標準のワイヤレスビレッジ（ｗｉｒｅｌｅｓｓ  ｖｉｌｌａｇｅ）個人間通信システム（Ｉｎｔｅｒｐｅｒｓｏｎａｌ  Ｍｅｓｓａｇｉｎｇ  Ｓｙｓｔｅｍ）と定義される。
【００２５】
図４は、本発明によるモバイルコアネットワークの構造を示すブロック図であり、前記インスタントメッセージサーバ２０もしくはマルチメディアメッセージサービスセンタ３０もしくは端末機から情報要求信号を受け取るか、又は所定の情報を伝送する送受信モジュール４１と、前記システムの各構成装置又は加入者に対する認証／認可を行う認証モジュール４３と、前記端末機のサービス加入者情報、ユーザプロファイル情報、プレゼンス情報、アクセス権情報などを保存して周期的又は非周期的に更新するデータベース４５と、前記端末機のネットワーク情報を管理するホームロケーションレジスタ（Ｈｏｍｅ  Ｌｏｃａｔｉｏｎ  Ｒｅｇｉｓｔｅｒ：ＨＬＲ）４７と、から構成される。
【００２６】
以下、前述したように構成された移動通信端末機メッセージサービス相互連動（互換）のためのシステムの動作について説明する。
【００２７】
送信者が前記送信端末機１０のインスタントメッセージクライアントによりマルチメディアコンテンツを入力して伝送すると、該マルチメディアコンテンツは前記インスタントメッセージサーバ２０に入力される。
【００２８】
該インスタントメッセージサーバ２０は、前記マルチメディアコンテンツが伝送される送信先アドレスを確認してアドレス解決を行った後、前記受信端末機５０にインスタントメッセージクライアントではないマルチメディアメッセージサービスクライアントが搭載されているかを確認し、前記マルチメディアコンテンツを前記マルチメディアメッセージサービスセンタ３０に伝送する。
【００２９】
該マルチメディアメッセージサービスセンタ３０は、伝送されたマルチメディアコンテンツのフォーマット／コーデックを確認し、前記受信端末機５０がサポートするフォーマット／コーデックであるかを確認する。前記マルチメディアコンテンツのフォーマット／コーデックが前記受信端末機５０のサポートする形式である場合、前記マルチメディアコンテンツを変換せずにそのまま前記受信端末機５０に伝送し、該受信端末機５０のサポートしない形式である場合、前記マルチメディアコンテンツを前記受信端末機５０のサポートする形式に変換して伝送する。
【００３０】
前記マルチメディアコンテンツは前記ＷＡＰゲートウェイ４０を介して前記受信端末機５０に伝送され、受信者は前記受信端末機５０に搭載されたマルチメディアメッセージサービスクライアントにより前記伝送されたマルチメディアコンテンツを確認することができる。
【００３１】
すなわち、本発明による移動通信端末機メッセージ互換のためのシステムは、前記受信端末機５０にインスタントメッセージクライアントではないマルチメディアメッセージサービスクライアントが搭載されていても、前記送信端末機１０がインスタントメッセージクライアントを使用して伝送するマルチメディアコンテンツを受信することができる。ここで、前記送信端末機１０とインスタントメッセージサーバ２０は、前記モバイルコアネットワーク６０から、前記受信端末機５０がインスタントメッセージクライアントを搭載しておらず、前記マルチメディアメッセージサービスクライアントのみを搭載しているという情報の提供を受ける。
【００３２】
図５及び図６は、本発明による移動通信端末機のメッセージ相互連動方法を示すフローチャートである。
【００３３】
まず、送信者が前記送信端末機１０に搭載されたインスタントメッセージクライアントをアクティブ化して前記受信端末機５０に搭載されたメッセージクライアントを確認する（Ｓ１１）。ここで、前記送信端末機１０には、前記受信端末機５０と同一のインスタントメッセージクライアントが搭載されているか、又は前記インスタントメッセージクライアントではないマルチメディアメッセージサービスクライアントのみが搭載されているか、又は前記インスタントメッセージクライアントとマルチメディアメッセージクライアントとを同時に搭載されている。
【００３４】
本発明においては、前記送信端末機１０にインスタントメッセージクライアントが搭載され、前記受信端末機５０に前記マルチメディアメッセージサービスクライアントが搭載された場合に限定する。
【００３５】
送信者が前記インスタントメッセージクライアントを利用してマルチメディアコンテンツを作成した後、前記受信端末機５０に前記マルチメディアコンテンツを伝送する（Ｓ１２）。ここで、前記マルチメディアコンテンツ以外のコンテンツを伝送しようとすると、前記送信端末機１０は、送信者に該当コンテンツは伝送し得ないということを通知する。前記受信端末機５０に搭載されたマルチメディアメッセージサービスクライアントは、マルチメディアコンテンツのみを受信し得るために、送信者が異なる形態のコンテンツを伝送しようとすると、前記送信端末機１０は警告を発生して送信者にこの事実を通知する。
【００３６】
前記マルチメディアコンテンツを受信した前記インスタントメッセージサーバ２０は、前記受信端末機５０のアドレスを確認し（Ｓ１３）、前記受信端末機５０の情報を前記モバイルコアネットワーク６０から受けて前記受信端末機５０にマルチメディアメッセージサービスクライアントのみが搭載されているかを確認する（Ｓ１４）。
【００３７】
前記受信端末機５０にインスタントメッセージクライアントが搭載されているかを判断し（Ｓ１５）、前記インスタントメッセージクライアントが搭載されておらず、前記マルチメディアメッセージサービスクライアントのみが搭載されている場合、前記インスタントメッセージサーバ２０は前記マルチメディアコンテンツを前記マルチメディアメッセージサービスセンタ３０に伝送する（Ｓ１６）。
【００３８】
前記受信端末機５０にインスタントメッセージクライアントが搭載されていれば、前記マルチメディアコンテンツは、前記ＷＡＰゲートウェイ４０を介して前記受信端末機５０に伝送され（Ｓ１７）、前記受信端末機５０にインスタントメッセージクライアントとマルチメディアサービスクライアントが全て搭載されていれば、ユーザの選択又はネットワークの設定によって前記マルチメディアコンテンツが伝送される（Ｓ１８）。ここで、前記ユーザの選択又はネットワークの設定によって前記マルチメディアコンテンツを前記インスタントメッセージクライアントに伝送するか、又は前記マルチメディアメッセージサービスクライアントに伝送するかが決定される。
【００３９】
前記マルチメディアメッセージサーバセンタ３０は、前記マルチメディアコンテンツを一時的に保存し、前記マルチメディアコンテンツを受信したという事実を前記ＷＡＰゲートウェイ４０を介して前記受信端末機５０にショートメッセージを送信することにより通知する（Ｓ１９）。
【００４０】
受信者が前記受信端末機５０を操作して前記ＷＡＰゲートウェイ４０を介してマルチメディアコンテンツの受信を要求すると、前記要求信号は、前記ＷＡＰゲートウェイ４０を介して前記マルチメディアメッセージサービスセンタ３０に伝送される（Ｓ２０）。
【００４１】
前記要求信号を受信したマルチメディアメッセージサービスセンタ３０は、前記マルチメディアコンテンツのフォーマット／コーデックが前記受信端末機５０のサポートするフォーマット／コーデックであるかを確認する（Ｓ２１）。
【００４２】
前記マルチメディアコンテンツのフォーマット／コーデックが前記受信端末機５０のサポートするフォーマット／コーデックではない場合、前記コンテンツを前記受信端末機５０のサポートするコンテンツフォーマットに変換し（Ｓ２２）、前記受信端末機５０のサポートするフォーマット／コーデックである場合、前記マルチメディアのコンテンツのフォーマットを変換しない。
【００４３】
前記マルチメディアメッセージサービスセンタ３０は、変換されたマルチメディアコンテンツ又は変換されていないマルチメディアコンテンツを前記ＷＡＰゲートウェイ４０を介して前記受信端末機５０に伝送する（Ｓ２３）。
【００４４】
前記マルチメディアコンテンツを受信した受信端末機５０は、前記コンテンツを受信したという事実を通知する伝送報告信号を前記送信端末機１０に伝送する（Ｓ２４）。
【００４５】
図７〜図９は、本発明による送信端末機１０に搭載されたインスタントメッセージクライアントを利用して前記受信端末機５０のマルチメディアメッセージサービスクライアントが存在するかを確認する実施形態を示す図である。添字のような特定の文字と色を利用してユーザ（受信端末機）を区分した。
【００４６】
ここで、前記インスタントメッセージ（ＩＭ）クライアントと表示された各アイコンは、受信者や前記受信端末機５０を示す。
【００４７】
図７は、インスタントメッセージクライアントが搭載された前記受信端末機５０のオンラインもしくはオフライン状態、並びにインスタントメッセージクライアントが搭載されていない受信端末機５０をそれぞれ異なる色で区分する。また、インスタントメッセージクライアントが搭載されていない前記受信端末機５０のうち、前記マルチメディアメッセージサービスクライアントが搭載された端末機には添字「ｍ」を付けてマルチメディアメッセージサービスが可能であることを表示する。
【００４８】
図８は、インスタントメッセージクライアントが搭載された前記受信端末機５０のオンライン又はオフライン状態をそれぞれ異なる色で区分し、前記インスタントメッセージクライアントが搭載されていない受信端末機５０は、前記インスタントメッセージクライアントが搭載された前記受信端末機５０のオフライン状態と同一の色で表示する。また、インスタントメッセージクライアントが搭載されていない受信端末機５０のうち、前記マルチメディアメッセージサービスが可能な受信端末機５０には添字「ｍ」を付けてマルチメディアメッセージサービスが可能であることを表示する。
【００４９】
図９は、前記インスタントメッセージクライアントが前記受信端末機５０のサポートするサービス、例えば、マルチメディアメッセージサービス、インスタントメッセージサービス、ロケーションサービスなどのサービスを特定の文字で区分し得るようにする。前記インスタントサービスのオンライン状態とオフライン状態は、それぞれ異なる色で区分し、マルチメディアメッセージサービスが可能な受信端末機５０には、全て添字「ｍ」を付けてマルチメディアメッセージサービスが可能であることを表示する。ここで、前記添字「ｍ」は、前記インスタントメッセージクライアントのオンライン又はオフライン状態に関係なく、前記マルチメディアメッセージサービスが可能な全ての受信端末機に付けられる。
【００５０】
マルチメディアメッセージクライアントが前記受信端末機に搭載されているかを確認するための方法として、前述した通り、アイコンの色及び添字を確認する方法とともに、前記受信端末機で該当アイコンの登録情報を確認する方法を用いることができる。すなわち、前記各アイコンは全て前記該当受信端末機に搭載されたメッセージクライアントに関する情報が含まれた登録情報を含んでいるので、ユーザが前記受信端末機にマルチメディアメッセージクライアントが搭載されているかを確認するために特定のアイコンを選択して該当登録情報を確認することができる。
【００５１】
図１０は、本発明による移動通信端末機のメッセージ相互連動のためのシステムの信号フローを示す図である。
【００５２】
図１０に示すように、前記送信端末機１０がインスタントメッセージクライアントを利用してマルチメディアコンテンツ伝送信号（ＳｅｎｄＭＥｓｓａｇｅ．Ｒｅｑ）を前記インスタントメッセージサーバ２０に伝送すると、該インスタントメッセージサーバ２０は前記マルチメディアコンテンツ伝送信号に対する応答信号（ＳｅｎｄＭＥｓｓａｇｅ．Ｒｅｓ）を前記送信端末機１０に伝送する（Ａ１０）。
【００５３】
前記送信端末機１０からマルチメディアコンテンツを受信したインスタントメッセージサーバ２０は、マルチメディアコンテンツ伝送信号（ＦｏｒｗａｒｄＭｅｓｓａｇｅ．Ｒｅｑ）を前記マルチメディアメッセージサービスセンタ３０に伝送して前記伝送信号に対する応答信号（ＦｏｒｗａｒｄＭＥｓｓａｇｅ．Ｒｅｓ）を前記マルチメディアメッセージサービスセンタ３０から受信する（Ａ２０）。
【００５４】
前記インスタントメッセージサーバ２０から前記マルチメディアコンテンツを受信した前記マルチメディアサービスセンタ３０は、前記マルチメディアコンテンツが受信されたことを通知する通知信号（ＭｅｓｓａｇｅａＮｏｔｉｆｉｃａｔｉｏｎ．Ｒｅｑ）を前記受信端末機５０に伝送し、前記通知信号に対する応答信号（ＭｅｓｓａｇｅＮｏｔｉｆｉｃａｔｉｏｎ．Ｒｅｓ）を受信する（Ａ３０）。
【００５５】
前記通知信号を受信した前記受信端末機５０はマルチメディアコンテンツ要求信号（ＧｅｔＭｅｓｓａｇｅ．Ｒｅｑ）を前記マルチメディアメッセージサービスセンタ３０に伝送し、前記マルチメディアコンテンツを含む応答信号（ＧｅｔＭｅｓｓａｇｅ．Ｒｅｓ）を受信する（Ａ４０）。
【００５６】
前記マルチメディアメッセージサービスセンタ３０に保存された前記マルチメディアコンテンツを受信した前記受信端末機５０は伝送完了信号（ＭｅｓｓａｇｅＤｅｌｉｖｅｒｅｄ）を前記マルチメディアメッセージサービスセンタ３０に伝送し（Ａ５０）、前記マルチメディアメッセージサービスセンタ３０は、伝送報告信号（ＤｅｌｉｖｅｒｙＲｅｐｏｒｔ．Ｒｅｑ）を前記インスタントメッセージサーバ２０に伝送する。
【００５７】
前記伝送報告信号を受信した前記インスタントメッセージサーバ２０は、これに対する応答信号（ＤｅｌｉｖｅｒｙＲｅｐｏｒｔ．Ｒｅｓ）を前記マルチメディアメッセージサービスセンタ３０に伝送し（Ａ６０）、前記送信端末機１０に前記マルチメディアコンテンツが伝送完了したことを通知する伝送報告信号（ＤｅｌｉｖｅｒｙＲｅｐｏｒｔ．Ｒｅｑ）を伝送する（Ａ７０）。
【００５８】
図１１は、本発明によるメッセージサービスの相互連動のための基本構造を示す図面であり、互いに異なるメッセージングサービスの相互連動により構成される各論理エンティティのブロック図を示しており、各エンティティの詳細説明は次の通りである。
【００５９】
メッセージングリレー（（Ｉｎｔｅｒ−ｓｅｒｖｉｃｅ）Ｍｅｓｓａｇｉｎｇ  Ｒｅｌａｙ：ＭＲ）は、２つのメッセージングサービス間のメッセージ伝達を担当する論理エンティティである。前記ＭＲは、アドレス解決及び受信ユーザプロファイルを基準に目的メッセージングサービスを確認する機能、前記メッセージフォーマットを前記受信メッセージングサービスに対応するフォーマットに変換する機能、並びに前記目的メッセージングサービスへの伝達に適した請求記録を作成する機能を実行する。
【００６０】
より詳しくは、前記ＭＲは、互いに異なる各メッセージングサーバと接続されて（そして、メッセージングサーバの一部分により実現されて）互いに異なるサービス間のメッセージ情報（コンテンツ及び「エンベロープ」）を伝達する。また、アドレス解決、ユーザプロファイル接続、及び前記メッセージの永久記憶媒体への保存のために基本的なイネイブラーと接続される。前記ＭＲは、多様な機能を担当するが、ＭＭ４、ＭＭ７、ＳＭＴＰ、多様なＳＩＰベースプロトコルなど（これに限定されるものではない）の変更されたプロトコルサポート機能及び他のメッセージングサーバに伝送されるメッセージを許可する機能などを該当し、前記メッセージは明確に提供されるか、あるいは、リンクを介してネットワーク記憶媒体に接続される。他の各機能としては、前記発信メッセージングサービスにより明確に提供されるか、又は前記受信側のユーザプロファイルから確認された前記目的メッセージングサービスを確認する機能と、目的メッセージングサービスフォーマットにメッセージを変換して適用する機能と、メッセージの目的メッセージングサービスへの伝送が成功するまでメッセージを永久保存部に保存する機能と、要求時に受信メッセージングサービスから前記メッセージの発信者にルーティングされ、前記発信及び受信メッセージングサービスで全てサポートする伝送及び判読された報告のフォワーディングを維持する機能と、前記メッセージングサービスのプライバシー及びセキュリティを維持する機能がある。
【００６１】
前記アドレス解決部（Ａｄｄｒｅｓｓ  Ｒｅｓｏｌｕｔｉｏｎ：ＡｄＲ）は、送信先メッセージングサービスにより利用されるアドレスフォーマットを基準に、短縮されたアドレスを元のアドレスに戻す機能を果たす論理エンティティである。より詳しくは、前記ＡｄＲは、前記受信側アドレスを受信メッセージサービスと前記メッセージ伝達のための送信先サーバを確認する完全なアドレスに拡張させるメッセージングサーバやメッセージングリレー（ＭＲ）とアドレス帳間のインタフェースである。該インタフェースは、短縮された「ニックネーム」及び完全なアドレスの所望のフォーマットの表示を含む何れのアドレスフォーマットの入力もサポートしなければならず、前記完全なアドレスあるいはそのアドレスが前記入力に対しては有効でないという表示を返さなければならない。
【００６２】
ユーザプロファイルは、メッセージングサービスに加入しているユーザのプロファイル内に定義されなければならず、前記各メッセージングサーバ及びメッセージングリレー（ＭＲ）に接続可能でなければならない特定の情報を定義する論理エンティティである。より詳しくは、前記ユーザプロファイルは、最小の属性セットを示す特定のユーザパラメータセットだけではなく、メッセージングサーバ（あるいは、ＭＲ）とオペレータドメイン内のユーザ情報のデータベース間のインタフェースを提供する。前記各属性は、ユーザが加入したメッセージングサービスリスト、ユーザが他のメディア種類を受信しようと定義する「選好」メッセージングサービスリスト及び各基本メッセージングパラメータのような少なくとも特定の種類の情報が含まれなければならない。
【００６３】
コンテンツ及びヘッダトランスコーディング部は、互いに異なる各メッセージングサービスのフォーマット間でメッセージのコンテンツやヘッダフォーマットのトランスコーディングサービスを提供する論理エンティティである。より詳しくは、前記トランスコーディングサービスは、サービスを前記メッセージングサーバやＭＲに提供してコンテンツ及びメッセージフォーマットを適用するようにする。該トランスコーディングサービスは、ＳＴＩ（Ｓｔａｎｄａｒｄ  Ｔｒａｎｓｃｏｄｉｎｇ  Ｉｎｔｅｒｆａｃｅ）の拡張バージョンによりサポートされる。このような拡張により現在サポートされているコンテンツ情報だけではなく、ヘッダ情報の変換も許可されなければならない。
【００６４】
前記メッセージ保存部は、前記メッセージングサーバ及びＭＲにより接続し得るネットワークにメッセージの永久（継続）保存部を提供して伝送されるメッセージを保存及び検索するようにする論理エンティティである。より詳しくは、前記メッセージ保存部は、オペレータが提供する全てのメッセージングサービスに接続可能なメッセージ保存部を提供する。特に、前記メッセージ保存部は、多様なフォーマットのメッセージ（例えば、ｅ‐ｍａｉｌ、マルチメディアメッセージ（ＭＭ）、ショートメッセージサービス（ＳＭＳ）など）の保存、メッセージのためのＵＲＩ生成、ＵＲＩに基づいて保存部におけるメッセージ検索及び交換、並びに前記メッセージングサーバやＭＲによる保存部管理を可能にするインタフェースを提供しなければならない。
【００６５】
多様なネットワークエンティティ間には、必須の各参照点（例えば、インタフェース）が存在する。次の表１は、各参照点及び関連説明を示している。
【００６６】
【表１】
2007533245.tif 000003
図１２は、本発明によるメッセージングサービスの相互連動のための基本構造を示す図であり、図１１のように、互いに異なるメッセージングサービスとその間のインタフェース（各アクセスポイント）の相互連動を含む各論理エンティティのブロック図を示している。前記互いに異なる各特性についての詳細説明は、次の通りである。
【００６７】
図１２の伝送側と受信側及び図１１の発信側と受信側は、同等な論理エンティティを有する。例えば、図１２の前記発信メッセージングサービス連動サーバと受信メッセージングサーバは、それぞれ図１１の受信者発信サービスメッセージサーバと受信者「選好」サービスメッセージングサーバに該当する。しかし、図１２においては、前記発信メッセージングサーバと前記発信メッセージングサービス連動サーバとが同一の論理エンティティの一部分であることもあることを示す。すなわち、単一サーバで、図１２の点線で示すように、両サーバの機能を全て行うことができる。
【００６８】
また、図１１のアドレス解決部とメッセージ保存部は、それぞれ図１２のアドレス解決部とメッセージ保存部に該当する。また、図１１のプレゼンスサーバは、前記発信メッセージングサーバ及び受信者発信サービスメッセージングサーバと連動し、図１２のプレゼンスサーバは前記発信クライアント及び発信メッセージングサーバと連動する。また、図１１の受信者側においては、前記メッセージ保存部がメッセージングリレー（ＭＲ）及び受信者「選好」サービスメッセージングサーバと接続される反面、図１２の受信側においては、前記メッセージ保存部が前記発信メッセージングサービス連動サーバ、前記メッセージングリレー（ＭＲ）、及び受信メッセージングサーバと接続される。
【００６９】
図１３は、本発明によるメッセージングサービス相互連動方法を示すフローチャートである。
【００７０】
図１１〜図１３に示すように、本発明は、互いに異なるメッセージングシステム間の相互連動方法を提供するが、該方法には、端末が発信メッセージングサーバに受信者「選好」メッセージングサービスの種類を含むメッセージを伝送する段階と、受信者発信サービスメッセージングサーバが前記メッセージを受信する段階と、前記受信者選好メッセージングサービスの種類に関する情報を得るために他のネットワークエンティティを確認することなく、受信者選好メッセージングサービスの種類を含む前記受信されたメッセージに基づいて受信者選好サービスメッセージングサーバにトランスコーディングされたメッセージを伝送する段階と、が含まれる。
【００７１】
言い換えれば、前記受信者選好メッセージングサービスの種類を知るためにユーザプロファイルのような他のネットワークエンティティを確認することなく、前記トランスコーディングされたメッセージを受信者選好サービスメッセージングサーバに伝送する。その理由は、単に受信者選好メッセージングサービスの種類を含む前記受信されたメッセージのみが考慮される必要があるからである。
【００７２】
ここで、前記受信者選好サービスの種類を含むメッセージを伝送する段階は、アドレス解決を行う段階と、ユーザプロファイルを確認する段階と、伝送する前にメッセージを保存する段階と、をさらに含む。また、前記トランスコーディングされたメッセージを伝送する段階は、第１フォーマットを有する前記受信されたメッセージを第２フォーマットに変換して互いに異なる種類のメッセージングサービス間で互換されるようにする段階をさらに含む。また、前記発信メッセージングサーバは、プレゼンスサーバから受信者選好メッセージングサービスの種類を含む前記メッセージを伝送する前に、受信者端末機に関する状態情報と可能なサービスアプリケーションを受信する。
【００７３】
また、本発明は互いに異なるメッセージングシステム間の相互連動方法を提供するが、該方法には、メッセージングサービスに関するメッセージを受信する段階と、受信者の選好メッセージングサービスの種類を取得する段階と、前記受信されたメッセージに前記取得された選好メッセージングサービスの種類に関する少なくとも１つのパラメータを含ませる段階と、前記パラメータが含まれた前記受信メッセージを受信者発信サービスメッセージングサーバに伝送する段階と、が含まれる。
【００７４】
前記方法は、前記受信されたメッセージがルーティングされなければならない送信先メッセージングシステムを探す段階をさらに含み、前記選好メッセージングサービスの種類は、プレゼンスサーバやユーザプロファイルから取得され、前記少なくとも１つのパラメータは、前記選好メッセージングサービスのメッセージを伝送又は受信するためのものであり、前記少なくとも１つのパラメータには、前記選好メッセージングサービスのメッセージを伝送するための１つのパラメータと前記選好メッセージングサービスのサービスを受信するための他のパラメータが含まれる。
【００７５】
また、本発明は互いに異なるメッセージングシステム間の相互連動方法を提供するが、該方法には、選好メッセージングサービスの種類を示すパラメータを有するメッセージを受信する段階と、前記パラメータを基準に前記メッセージを前記選好メッセージングサービスのサポートするフォーマットに処理する段階と、前記選好メッセージングサービスの受信者に前記メッセージを提供する段階と、が含まれる。
【００７６】
ここで、前記メッセージは、前記選好メッセージングサービスのフォーマットとは異なるフォーマットにより受信者発信サービスメッセージングサーバに受信される。前記処理段階はアドレス解決を行う段階を含む。前記メッセージは、ユーザプロファイルの確認、コンテンツ及びヘッダトランスコーディングの実行、並びにメッセージ保存のためにメッセージングリレーにより処理される。前記メッセージは、受信者選好サービスメッセージングサーバを介して受信者に提供される。
【００７７】
また、本発明は、メッセージングサービス方法を提供するが、該方法は、発信クライアントから発信メッセージングサーバにメッセージを伝送する段階と、少なくとも選好メッセージングサービスの種類を含むユーザ情報をプレゼンスサーバやユーザプロファイルにより取得する段階と、アドレス解決により次のサーバを探す段階と、前記次のサーバに前記メッセージを伝送する段階と、発信メッセージフォーマットを受信メッセージフォーマットにトランスコーディングする段階と、アドレス解決により受信者選好サービスメッセージングサーバを探す段階と、前記受信者選好サービスメッセージングサーバに前記トランスコーディングされたメッセージを伝送する段階と、前記トランスコーディングされたメッセージを保存して前記受信クライアントに通知を伝送する段階と、前記受信者選好サービスメッセージングサーバに前記トランスコーディングされたメッセージの受信を要求する段階と、前記トランスコーディングされたメッセージを受信する段階と、を含む。
【００７８】
また、本発明は、メッセージングサービス方法を提供するが、該方法は、第１メッセージングサービスサーバで第１メッセージングサービスの第１ユーザクライアントが伝送したマルチメディアメッセージを受信する段階と、前記第１メッセージングサービスサーバと第２メッセージングサービスサーバで前記マルチメディアメッセージを処理する段階と、前記第２メッセージングサービスサーバで前記処理されたマルチメディアメッセージを第２メッセージングサービスの第２ユーザクライアントに提供する段階と、を含む。
【００７９】
ここで、前記処理動作により前記第１及び２メッセージングサービス間の互換のために前記マルチメディアメッセージのコンテンツやフォーマットを修正することができ、前記第１メッセージングサービスはインスタントメッセージサービスであり、前記第２メッセージングサービスはマルチメディアメッセージサービスである。
【００８０】
また、前記処理動作によりメッセージングアドレスが前記第２ユーザクライアントに対して使用可能であるかを確認することができ、前記第１メッセージングサービスはマルチメディアメッセージサービスであり、前記第２メッセージングサービスはインスタントメッセージサービスである。
【００８１】
また、前記第１ユーザクライアントは、可能なサービスアプリケーションとプレゼンス情報をユーザに通知し得る機能を有し、前記可能なサービスの適用及びプレゼンス情報は、異なる色及びテキスト文字を使用してユーザに提供される視覚的表示方法で表示することができる。
【００８２】
図１４〜図２４は、発信（送信）メッセージングサービスの種類もしくは受信メッセージングサービスの種類又はその両方を示すパラメータ（例えば、ヘッダフィールド）を使用する相互連動に関する本発明のより詳細な実施形態を示している。
【００８３】
前記各パラメータは、オプションとして使用されるものであり、前記各パラメータ（例えば、フィールド、フラグ、インジケータなど）を使用する主な理由は、互いに異なる種類のメッセージングサービスシステム間の相互連動時に多様なネットワーク要素間に実行される必須シグナリングを最小化し得る利点があるからである。また、前記受信クライアントは、互いに異なるメッセージングサービス間の相互連動のために前記発信クライアントで使用する前記メッセージングサービスを認識することができる。
【００８４】
図１４〜図２４においては、パラメータの使用が前記発信（送信）及び／又は受信メッセージングサービスの種類を指定するためにメッセージのヘッダ部分に位置するフィールドの予備ビットを使用することを意味することが分かる。このような新しいフィールドの「追加」によって前記ヘッダ全体の大きさが増加するのではなく、従来の技術で既に保有していた１つ以上のビットを前記メッセージングサービスの種類を示すための新しいフィールドとして使用する。好ましくは、前記各パラメータ（例えば、フィールド、フラグ、インジケータなど）を、下記により詳細に説明する発信クライアント、発信メッセージングサーバ、又は受信者発信サービスメッセージングサーバにより追加することができる。
【００８５】
図１４は、受信メッセージングサービスフィールド及び発信サービスメッセージングフィールドを利用して本発明の一実施形態によるメッセージングサービス相互連動方法を示すフローチャートである。
【００８６】
前記メッセージングサービスの種類を示すフィールドを追加してメッセージを送信し（Ｓ１１）、前記メッセージリレーは、前記メッセージを受信した後（Ｓ１３）、前記メッセージにメッセージングサービスフィールドの種類が含まれているかを確認する。ここで、前記メッセージは、受信メッセージングサービスフィールド及び／又は発信メッセージングサービスフィールドを含むことができる。好ましくは、前記フィールドは、前記発信クライアント又は前記発信メッセージングサーバ又は前記発信メッセージングサービス連動サーバにより前記メッセージに含まれる。
【００８７】
好ましくは、前記メッセージングリレーは、まず、前記メッセージが受信メッセージングサービスフィールドを含んでいるかを確認する（Ｓ１５）。含んでいなければ、前記メッセージングリレーは、ユーザプロファイルにより前記受信クライアントが受信しようとするメッセージングサービスの種類を確認する（Ｓ１７）。
【００８８】
前記メッセージに受信メッセージングサービスフィールドが含まれているか、又は前記ユーザプロファイルにより前記メッセージングサービスの種類を確認した場合、前記メッセージングリレーはトランスコーディング部を介して前記メッセージを前記受信クライアントのサポート可能なメッセージングコンテンツのフォーマットに適するように変換する（Ｓ１９）。また、前記メッセージングリレーは、前記アドレス変換部により前記メッセージのアドレスを受信メッセージングサーバで使用されるアドレスフォーマットに変換して次の送信先アドレスを確認する（Ｓ２１）。前記アドレスが変換されたメッセージは前記受信メッセージングサーバに伝送され、その後前記受信クライアントに伝送される（Ｓ２３）。
【００８９】
前記受信クライアントは発信メッセージングサービスフィールドが存在するかを確認し（Ｓ２５）、前記発信メッセージングサービスフィールドが存在する場合、前記受信クライアントは発信クライアントのメッセージングサービスの種類を確認することができる（Ｓ２７）。しかし、前記発信メッセージングサービスフィールドが存在しない場合、前記受信クライアントは前記確認過程を行うことができない（Ｓ２９）。前記確認過程を行える場合、前記受信クライアントは、前記受信されたメッセージに対する応答として応答メッセージを伝送する。前記応答を受信した前記発信（送信）側は前記メッセージングリレーが前記ユーザプロファイルを確認することなく、前記メッセージングサービスフォーマットを変換することができる。しかし、発信メッセージングサービスフィールドが存在しない場合、前記メッセージングサービスフォーマットは、前記発信メッセージングサービスの種類に関する情報を含んでいるユーザプロファイルを参照した後に変換されなければならない。
【００９０】
図１５は、本発明の第１実施形態による互いに異なるメッセージングシステム間の相互連動方法を示す信号フローを示す図である。
【００９１】
アクティブ化された発信クライアントを利用して特定の受信クライアントにメッセージを伝送する場合、前記発信クライアントは、プレゼンスサーバから前記受信クライアントが受信するように設定されたメッセージングサービスを確認し（Ｓ３１）前記メッセージに受信メッセージングサービスフィールドを追加する（Ｓ３３）。ここで、前記受信メッセージングサービスフィールドは前記受信クライアントが現在受信し得るメッセージングサービスの種類を示すフィールドであり、前記メッセージのヘッダもしくは本文部分、又はその他の部分に１つ以上の予備ビットを設定することによって実現することができる。
【００９２】
前記受信メッセージングサービスフィールドを含むメッセージを発信メッセージングサーバに伝送する（ＯＭ１）。前記発信メッセージングサーバは、メッセージ保存部に前記受信されたメッセージを保存し（ＩＭ５）、前記メッセージを伝送するのに必要な情報をユーザプロファイルから確認した後（ＩＭ３）、アドレス帳から前記メッセージを伝送する次の送信先アドレスを確認する（ＩＭ２）。次に、前記発信メッセージングサーバは前記メッセージ保存部から前記メッセージを検索（呼び出し）し（ＩＭ５）、前記発信メッセージングサーバ連動サーバに伝送する（ＩＭＣＮ）。ここで、前記発信メッセージングサーバと発信メッセージングサービス連動サーバは、単一サーバで構成することもでき、別途に構成することもできる。
【００９３】
前記発信メッセージングサービス連動サーバは、アドレス変換部と連動して前記メッセージの前記次の送信先アドレスを確認し（ＩＭ２）、前記メッセージをメッセージサービス連動のためのメッセージングリレーに伝送する（ＩＭ１）。ここで、前記アドレス変換部は発信側のアドレス帳と同一の機能を実行することができる。
【００９４】
前記メッセージングリレーは、前記メッセージの受信メッセージングサービスフィールドから前記受信クライアントのメッセージングサービスの種類を確認した後、前記メッセージをトランスコーディング部を介して前記受信クライアントのメッセージングサービスフォーマットに適するように変換する（ＩＭ４）。ここで、必要な場合（点線矢印で示すように）、前記メッセージングリレーはメッセージングサービスの種類以外の他の情報をユーザプロファイルから確認することができる（ＩＭ３）。
【００９５】
前記メッセージングリレーは、前記アドレス変換部と連動して前記メッセージに含まれている受信クライアントのアドレスを前記受信クライアントのメッセージングサービスに使用されるアドレスフォーマットに変換し、該変換されたメッセージを伝送する次の送信先アドレスを確認する（ＩＭ２）。
【００９６】
次に、前記メッセージングリレーは、前記変換されたメッセージを受信メッセージングサーバに伝送する（ＩＭ１）。ここで、前記メッセージングリレーは、前記受信メッセージングサーバへの該当メッセージの送信に成功するまで、前記メッセージのコピーを一時的に保存する。該メッセージのコピーは、前記メッセージングリレー内又は別途の記憶媒体に保存される。
【００９７】
前記受信メッセージングサーバは前記受信メッセージングサーバのメッセージ保存部に前記受信されたメッセージを保存し（ＩＭ５）、メッセージが到着したことを通知メッセージを利用して前記受信クライアントに通知する（Ｓ３５）。ここで、前記通知メッセージに必要な情報のうち前記発信メッセージングサーバや前記発信メッセージングサービス連動サーバから提供された情報がある場合、該当インタフェースを介して受信することができる。また、前記メッセージ保存部は、前記受信メッセージングサーバの一部としてその内部に存在することもでき、別途のエンティティに存在することもできる。
【００９８】
前記通知メッセージを確認した後、前記受信クライアントが前記メッセージの受信を要求すると（Ｓ３７）、前記受信メッセージングサーバは、前記メッセージ保存部からの前記メッセージを要求し（ＩＭ５）、前記メッセージ保存部は該当メッセージを前記受信メッセージングサーバに伝送する（ＩＭ５）。次に、前記受信メッセージングサーバは伝送されたメッセージを前記受信クライアントに伝送する（ＲＭ１）。
【００９９】
前述したように、特定のメッセージングサービスの種類を使用する発信クライアントからのメッセージは、他のメッセージングサービスの種類を使用する所望の受信クライアントに伝送することができ、このために１つ以上のメッセージングサービスパラメータ（例えば、フィールド、フラグなど）を使用して多様なネットワークエンティティ間の信号の流れを向上させることができる。ここで、必要な場合、前記各手順は前述した順序と若干異なる順序で実行することもできる。このような場合についての説明は次の通りである。
【０１００】
図１６は、本発明の第２実施形態による互いに異なるメッセージングシステム間の連動方法を示す信号フローを示す図であり、発信メッセージングサーバが受信メッセージングサービスフィールドを含む場合を示す。
【０１０１】
大部分の手順は、前記発信クライアントと発信メッセージングサーバ間の手順を除けば図１５と同一である。すなわち、前記発信クライアントは、図１５の段階（Ｓ３１及びＳ３３）を行わない。その代りに、前記発信メッセージングサーバが前記プレゼンスサーバから（前記メッセージを伝送する次の送信先アドレスを決定するために前記アドレス帳を確認する前に前記点線矢印で示すように（ＩＭ２））、前記受信クライアントが受信するように設定された前記メッセージングサービスを確認することができる。また、前記発信メッセージングサーバは前記メッセージに受信メッセージングサービスフィールドを含む（Ｓ４１）。他の全ての後続段階は図１５と同一である。
【０１０２】
図１７は、本発明の第３実施形態による互いに異なるメッセージングシステムの相互連動方法を示す信号フローを示す図であり、前記発信メッセージングサービス連動サーバが前記受信メッセージングサービスフィールドを含む場合を示す。
【０１０３】
大部分の手順は図１６と同一であるが、前記発信メッセージングサーバがメッセージ伝送に必要な情報のために前記ユーザプロファイルを確認した後（ＩＭ３）、前記メッセージ保存部から前記メッセージを検索し（ＩＭ５）、前記アドレス帳を確認して前記メッセージが送信される次の送信先アドレスを判断した後（ＩＭ２）、前記メッセージを前記発信メッセージングサービス連動サーバに伝送する（ＩＭＣＮ）。
【０１０４】
その後、前記発信メッセージングサービス連動サーバは、前記受信側のメッセージ保存部に前記メッセージを保存することができ（ＩＭ５）、前記受信クライアントのメッセージングサービスを前記ユーザプロファイルから確認することができる（ＩＭ３）。次に、前記発信メッセージングサービス連動サーバは前記アドレス変換部と連動して前記メッセージの次の送信先アドレスを確認した後（ＩＭ２）、前記メッセージ保存部から前記メッセージを検索し（ＩＭ５）、受信メッセージングサービスフィールドを前記メッセージに添付する（Ｓ５１）。他の後続段階は全て図１５あるいは図１６と同一である。
【０１０５】
前記発信メッセージングサービス連動サーバ（あるいは、これと接続された発信メッセージングサーバ）は（点線矢印で示された）前記プレゼンスサーバからユーザプロファイルを確認するだけではなく、前記受信クライアントのメッセージングサービスの種類を確認することもできる。また、前記受信メッセージングサービスフィールドは前記メッセージのヘッダやその他の部分に含まれる。
【０１０６】
図１８は、本発明の第４実施形態による互いに異なるメッセージングシステム間の連動方法を示す信号フローを示す図であり、前記発信メッセージングサーバが前記発信メッセージングサービスフィールドを含む場合を示す。
【０１０７】
何れかの他の段階を行う前に前記発信クライアントが前記メッセージに発信メッセージングサービスフィールドを添付し（Ｓ６１）、前記各手順の最後に前記受信クライアントが発信メッセージングサービスの種類を確認すること（Ｓ６７）を除けば、全ての手順が図１５と同一である。また、図１５に示すように、前記プレゼンスサーバから前記受信クライアントのメッセージングサービス情報を得る段階（Ｓ３１）と、前記受信側のユーザプロファイルを参照するオプション段階（ＩＭ３）の代りに、プレゼンスサーバを使用することなく、前記メッセージングリレーが前記受信クライアントの前記メッセージングサービス情報を前記受信側のユーザプロファイルから得ることができる（ＩＭ３）。
【０１０８】
図１９は、本発明の第５実施形態による互いに異なるメッセージングシステムの連動方法を示す信号フローを示す図であり、前記発信メッセージングサーバが前記発信メッセージングサービスフィールドを含む場合を示す。
【０１０９】
大部分の手順が図１８と同一であるが、前記発信クライアントの代りに、前記発信メッセージングサーバが前記メッセージを前記発信メッセージングサービス連動サーバに伝送する（ＩＭＣＮ）前に前記初期の５段階（ＯＭ１、ＩＭ５、ＩＭ３、ＩＭ２、ＩＭ５）を行った後、発信メッセージングサービスフィールドを前記メッセージに添付する（Ｓ７１）ことが異なる。
【０１１０】
図２０は、本発明の第６実施形態による互いに異なるメッセージングシステムの連動方法を示す信号フローを示す図であり、前記発信メッセージングサービス連動サーバが前記発信メッセージングサービスフィールドを含むことを示す。
【０１１１】
大部分の手順が図１９と同一であるが、前記発信メッセージングサービス連動サーバが前記発信メッセージングサーバからメッセージを受信し（ＩＭＣＮ）、前記ユーザプロファイル（ＩＭ３）と前記アドレス変換部（ＩＭ２）と連動して前記メッセージにメッセージングサービスフィールドを添付することが異なる。全ての後続段階は図１９と同一である。
【０１１２】
図１５〜図２０に示すように、互いに異なる図に示す所定シグナリング手順は、全て同一の手順により実現される。すなわち、図１５〜図２０の各所定の特性は、必要に応じて組み合わせたり省略することができる。
【０１１３】
図２１は、本発明によるメッセージングサービスフィールドを有するメッセージのフォーマットを示している。受信メッセージングサービスフィールドと発信メッセージングサービスフィールドは選択的にメッセージのヘッダ部分に含まれる。又は、前記受信メッセージングサービスフィールドと発信メッセージングサービスフィールドが選択的にメッセージのヘッダではない他の部分に含まれる。
【０１１４】
図２２は、本発明によるＳＩＰ（Ｓｅｓｓｉｏｎ  Ｉｎｉｔｉａｔｉｏｎ  Ｐｒｏｔｏｃｏｌ）メッセージヘッダフォーマットの一部の例を示す図である。前記ＳＩＰは、リアルタイムにマルチメディアデータサービスを提供するためのセッション構成（設定）手順の間使用される。前記ＳＩＰメッセージには、招待メッセージ（ＩＮＶ、ＩＮＶＩＴＥ）、オプションフィールド（ＯＰＴ）、及び前記メッセージのヘッダフィールド（ＭＥＳＳＡＧＥ）を新しく定義し、前記発信メッセージングサービスフィールドと前記受信メッセージングサービスフィールドを追加することができる。
【０１１５】
図２３は、本発明によるリアルタイムマルチメディアデータの伝送時に使用されるＲＴＰ（Ｒｅａｌ−Ｔｉｍｅ  Ｐｒｏｔｏｃｏｌ）メッセージヘッダのフォーマットの例を示す図であり、前記ＲＴＰメッセージヘッダに前記発信メッセージングサービスフィールド及び前記受信メッセージングサービスフィールドを添付し得る場合である。
【０１１６】
図２４は、本発明によるＲＴＰプロトコルの制御に利用されるＲＴＣＰ（Ｒｅａｌ−Ｔｉｍｅ  Ｔｒａｎｓｐｏｒｔ  Ｃｏｎｔｒｏｌ  Ｐｒｏｔｏｃｏｌ）のフォーマットの例を示す図である。前記発信メッセージングサービスフィールド及び前記受信メッセージングサービスフィールドを前記ＲＴＣＰアプリケーションヘッダに添付することができる。ここで、前記ＲＴＰ又はＲＴＣＰに追加される前記発信メッセージングサービスフィールド又は受信メッセージングサービスフィールドの長さ（大きさ）は、必要によって多様に調整可能である。
【０１１７】
添付した図面を参照して、本発明の実施形態を、本発明が属する技術分野における通常の知識を有する者が容易に実施することができるように詳細に説明した。しかし、本発明は、多様な形態で実現することができ、ここで説明する実施形態に限定されるものではない。
【図面の簡単な説明】
【０１１８】
【図１】本発明による移動通信端末機のメッセージサービス相互連動システムの構造を示す図である。
【図２】本発明によるインスタントメッセージサーバの構造を示すブロック図である。
【図３】本発明によるマルチメディアメッセージサービスセンタの構造を示すブロック図である。
【図４】本発明によるモバイルコアネットワークの構造を示すブロック図である。
【図５】本発明による移動通信端末のメッセージ相互連動方法を示すフローチャートである。
【図６】本発明による移動通信端末のメッセージ相互連動方法を示すフローチャートである。
【図７】本発明による送信端末機のインスタントメッセージクライアントを使用して受信端末機のマルチメディアメッセージサービスクライアントが存在するか否かを確認するための一実施形態を示す図である。
【図８】本発明による送信端末機のインスタントメッセージクライアントを使用して受信端末機のマルチメディアメッセージサービスクライアントが存在するか否かを確認するための一実施形態を示す図である。
【図９】本発明による送信端末機のインスタントメッセージクライアントを使用して受信端末機のマルチメディアメッセージサービスクライアントが存在するか否かを確認するための一実施形態を示す図である。
【図１０】本発明の一実施形態による移動通信端末機のメッセージ相互連動システムにおける信号フローを示す図である。
【図１１】本発明の各一実施形態によるメッセージングサービス相互連動の基本構造を示す図である。
【図１２】本発明の各一実施形態によるメッセージングサービス相互連動の基本構造を示す図である。
【図１３】本発明の一実施形態によるメッセージングサービス相互連動方法を示すフローチャートである。
【図１４】受信メッセージングサービスフィールド及び発信メッセージングサービスフィールドを利用して本発明の一実施形態によるメッセージングサービス相互連動方法を示すフローチャートである。
【図１５】本発明の第１実施形態による互いに異なるメッセージングシステム間の相互連動方法を示す信号フローを示す図である。
【図１６】本発明の第２実施形態による互いに異なるメッセージングシステム間の相互連動方法を示す信号フローを示す図である。
【図１７】本発明の第３実施形態による互いに異なるメッセージングシステム間の相互連動方法を示す信号フローを示す図である。
【図１８】本発明の第４実施形態による互いに異なるメッセージングシステム間の相互連動方法を示す信号フローを示す図である。
【図１９】本発明の第５実施形態による互いに異なるメッセージングシステム間の相互連動方法を示す信号フローを示す図である。
【図２０】本発明の第６実施形態による互いに異なるメッセージングシステム間の相互連動方法を示す信号フローを示す図である。
【図２１】本発明による受信メッセージングサービスフィールド及び発信メッセージングサービスフィールドを有するメッセージのフォーマットを示す図である。
【図２２】本発明によるＳＩＰメッセージヘッダフォーマットの例を示す図である。
【図２３】本発明によるＲＴＰメッセージヘッダフォーマットの例を示す図である。
【図２４】本発明によるＲＴＣＰメッセージヘッダフォーマットの例を示す図である。
【符号の説明】
【０１１９】
１０：送信端末機
２０：インスタントメッセージサーバ
３０：マルチメディアメッセージサービスセンタ
４０：ＷＡＰゲートウェイ
５０：受信端末機
６０：モバイルコアネットワーク
【図１】
2007533245.tif 000004
【図２】
2007533245.tif 000005
【図３】
2007533245.tif 000006
【図４】
2007533245.tif 000007
【図５】
2007533245.tif 000008
【図６】
2007533245.tif 000009
【図７】
2007533245.tif 000010
【図８】
2007533245.tif 000011
【図９】
2007533245.tif 000012
【図１０】
2007533245.tif 000013
【図１１】
2007533245.tif 000014
【図１２】
2007533245.tif 000015
【図１３】
2007533245.tif 000016
【図１４】
2007533245.tif 000017
【図２１】
2007533245.tif 000018
【図２２】
2007533245.tif 000019
【図２３】
2007533245.tif 000020
【図２４】
2007533245.tif 000021
【図１５】
2007533245.tif 000022
【図１６】
2007533245.tif 000023
【図１７】
2007533245.tif 000024
【図１８】
2007533245.tif 000025
【図１９】
2007533245.tif 000026
【図２０】
2007533245.tif 000027
【国際調査報告】
2007533245.tif 000028
2007533245.tif 000029